(57)【要約】【課題】  システムの構成要素を高密度配線盤に容易に後付可能で、現場の作業効率を高める安価な配線管理システムを提供すること。【解決手段】  作業者は、配線盤１に高密度に配置されているアダプタ２のアダプタ位置を、行アダプタ選択スイッチ３と列アダプタ選択スイッチ４を操作して指定し、続いて、配線ケーブル１５のコネクタ１０に取付けられている非接触ＩＣタグ１１をタグリーダ／ライタのアンテナ７にかざして、コネクタＩＤを読み取らせる。コントローラ１９は、行アダプタ選択スイッチ３と列アダプタ選択スイッチ４の位置を検索してアダプタ位置を特定し、更にタグリーダ／ライタが読み取ったコネクタＩＤから配線ケーブルのコネクタを特定する。コントローラ１９は、コネクタＩＤと配線盤１のアダプタ番号が対応付けられた配線情報が記憶されているデータベース装置２０のデータを利用して、作業者のコネクタの挿抜作業を支援する。【選択図】  図1
2007189774.tif 000002
【特許請求の範囲】
【請求項１】
複数の行と列に整然と高密度に配置された多数のアダプタを備える高密度配線盤に配線ケーブルのコネクタを選択的に挿抜する配線作業を支援する配線管理システムにおいて、
配線ケーブルのコネクタのＩＤとアダプタのアダプタ番号が対応付けられて記憶されたデータベース装置を備えた配線管理装置と、
コネクタに取り付けられた非接触ＩＣタグであって当該コネクタのＩＤを記憶した非接触ＩＣタグと、
前記配線管理装置に接続され且つ前記配線盤に配置された行アダプタ選択手段と列アダプタ選択手段と、
前記配線管理装置に接続されて前記非接触ＩＣタグと情報の授受を行うタグリーダ／ライタのアンテナとから構成された配線管理システム。
【請求項２】
前記行アダプタ選択手段は行アダプタ選択スイッチであり、前記列アダプタ選択手段は列アダプタ選択スイッチであることを特徴とする請求項１に記載の配線管理システム。
【請求項３】
複数の行と列に整然と高密度に配置された多数のアダプタを備える高密度配線盤に配線ケーブルのコネクタを選択的に挿抜する配線作業を支援する配線管理システムにおいて、
配線ケーブルのコネクタのＩＤとアダプタのアダプタ番号が対応付けられて記憶されたデータベース装置を備えた配線管理装置と、
コネクタに取り付けられた非接触ＩＣタグであって当該コネクタのＩＤを記憶した非接触ＩＣタグと、
前記配線管理装置に接続され且つ前記配線盤に配置された行タグリーダ／ライタのアンテナと、
前記配線管理装置に接続され且つ前記配線盤に配置された列タグリーダ／ライタのアンテナとから構成された配線管理システム。
【請求項４】
複数の行と列に整然と高密度に配置された多数のアダプタを備える高密度配線盤に配線ケーブルのコネクタを選択的に挿抜する配線作業を支援する配線管理システムにおいて、
配線ケーブルのコネクタのＩＤとアダプタのアダプタ番号が対応付けられて記憶されたデータベース装置を備えた配線管理装置と、
コネクタに取り付けられた非接触ＩＣタグであって当該コネクタのＩＤを記憶した非接触ＩＣタグと、
前記配線管理装置に接続され且つ前記配線盤に配置された行アダプタ選択スイッチと、
前記配線管理装置に接続され且つ前記配線盤に配置された列タグリーダ／ライタのアンテナとから構成された配線管理システム。
【請求項５】
複数の行と列に整然と高密度に配置された多数のアダプタを備える高密度配線盤に配線ケーブルのコネクタを選択的に挿抜する配線作業を支援する配線管理システムにおいて、
配線ケーブルのコネクタのＩＤとアダプタのアダプタ番号が対応付けられて記憶されたデータベース装置を備えた配線管理装置と、
コネクタに取り付けられた非接触ＩＣタグであって当該コネクタのＩＤを記憶した非接触ＩＣタグと、
前記配線管理装置に接続され且つ前記配線盤に配置された列アダプタ選択スイッチと、
前記配線管理装置に接続され且つ前記配線盤に配置された行タグリーダ／ライタのアンテナとから構成された配線管理システム。
【請求項６】
前記配線管理装置に接続された行アダプタ・ナビゲーション用表示手段と列アダプタ・ナビゲーション用表示手段が配線盤に更に配置されていることを特徴とする請求項１から請求項５のいずれか一つに記載されたことを特徴とする配線管理システム。
【請求項７】
行アダプタ・ナビゲーション用表示手段と列アダプタ・ナビゲーション用表示手段は、行アダプタ・ナビゲーション用ＬＥＤと列アダプタ・ナビゲーション用ＬＥＤであることを特徴とする請求項６に記載されたことを特徴とする配線管理システム。
【請求項８】
前記非接触ＩＣタグは、アダプタ位置情報の書き込みと消去がなされるものであることを特徴とする請求項１から５のいずれかに記載の配線管理システム。
【発明の詳細な説明】
【技術分野】
【０００１】
本発明は、多数のアダプタが複数の行と列に整然と配置された高密度配線盤に適用される配線管理システムに関し、特に、前記多数のアダプタに配線ケーブルのコネクタを選択的に挿抜する配線作業を支援する配線管理システムに関する。
【背景技術】
【０００２】
特開２００３−１１４２４７号公報（特許文献１）には、ＬＥＤ付非接触ＩＣタグを用いた信号伝送線識別装置が開示されている。前記ＬＥＤ付非接触ＩＣタグは、アンテナ、ＣＰＵ、ＥＥＲＯＭ及びＬＥＤとで構成されたものである。前記ＥＥＲＯＭには、当該ＩＣタグに固有の識別情報が記憶されている。前記ＬＥＤは、タグリーダ／ライタから伝送された問合せ情報に含まれる識別情報と前記ＥＥＲＯＭに記憶された固有の識別情報が一致したときに発光し、当該ＩＣタグが探索の対象であることを報知するものである。
【０００３】
特許文献１の実施例によれば、前記信号伝送線識別装置は、６個の線路成端ユニットで構成された光配線盤の多数のジャンパ光コードの中から、配線変更すべきジャンパ光コードを容易に探索できるように支援する装置である。
【０００４】
しかしながら、前記信号伝送線識別装置にはプラグを挿着すべきコネクタアダプタの位置を報知する手段を備えていないから、作業者は配線表を参照しなければならない。このため、作業者の配線作業は効率が悪いだけでなく、誤挿着の恐れもある。また、上述の信号伝送線識別装置にはどのプラグがどのコネクタアダプタに接続されているかの配線状況を自動的に知る手段がない。このため、作業者はプラグとコネクタアダプタの接続を個々に且つ目視で確認しなければならず、作業効率が悪いだけでなく、確認ミスも起こり得るという問題がある。
【０００５】
次に、特開２００１−５７６８３号公報（特許文献２）には、バーコードの挿抜光ファイバ識別記号が付与された挿抜光ファイバが採用された光配線システムが開示されている。作業者は、作業支援携帯端末で前記バーコードを読み取ることにより、挿抜光ファイバを効率よく探索することができる。
【０００６】
しかしながら、この光配線システムにおいては、現場の作業者が指示に従って挿抜光ファイバの挿抜を適切に行ったことを確認することができないという問題がある。また、挿抜を行うべき接続盤上の接続端子を指示する表示部は、当該接続端子を直接的に指示するものではなく、当該接続端子の位置番号を指示するものであり、作業者は指示された位置番号から目的の接続端子を探さなければならないという面倒さもある。更に、この表示部は、接続盤を作成する際に設置されるものであり、しかも有線で中間光配線管理装置に接続されているから、システムのコスト増に繋がるという問題もある。勿論、保持盤ユニットに設けられた表示部についても、同様のコストの問題がある。
【０００７】
次に、米国特許第５８２１５１０号公報（特許文献３）には、バーコードを利用した配線管理システムが開示されている。アダプタ用バーコードは、配線盤の多数のアダプタが所定の行列で整然と配置されている配線架に、アダプタ毎に取り付けられている。アダプタ用バーコードは、それが取り付けられているアダプタの位置情報を表すものである。また、プラグ用バーコードは、アダプタに挿着される配線ケーブルの両端のプラグにそれぞれ取り付けられている。プラグ用バーコードは、それが取り付けられているプラグの識別情報を表すものである。
【０００８】
アダプタ用バーコードとプラグ用バーコードのデータは、作業者によってバーコーリ−ダーで読み取られる。読み取られたデータは、パソコンの如き配線管理装置に無線伝送される。配線管理装置は、無線伝送されて入力されたデータを処理し、その表示画面にアダプタとプラグの接続状況を所定のフォーマットで表示する。管理室の配線管理装置のオペレータは、表示画面から、アダプタとプラグの接続が正しいか否かを判断する。或いは、配線管理装置は、アダプタとプラグの接続状況と共に、誤接続か否かの判断結果を併せて表示する。従って、このアダプタ用バーコードとプラグ用バーコードを利用した配線状態確認システムは、アダプタとプラグの接続状況を効率的に把握できるシステムである。
【０００９】
この従来の配線管理システムにおいて、アダプタ用バーコードは既存の配線盤に簡単に後付ができる。また、プラグ用バーコードは配線ケーブルの両端のプラグに簡単に取付けられる。従って、この従来の配線管理システムは、配線盤に複数の行と列に整然と配置された多数のアダプタに配線ケーブルのコネクタを選択的に挿抜する配線作業を支援する配線管理システムにおいて、システムの構成要素を高密度配線盤に容易に後付が可能な安価な配線管理システムである。
【００１０】
しかしながら、この従来のシステムでは、バーコードの読み取りを手持ちのバーコードリーダーを利用するものであるから、現場の作業者は配線ケーブルを一方の手に且つバーコードリーダーを他方に手に持って配線作業をしなければならない。このため、現場の作業者の作業効率が悪いという問題がある。また、この従来のシステムでは、現場の作業者は誤接続を即時に知ることができないという問題がある。更に、管理室の配線管理装置のオペレータから誤接続のアダプタの位置情報を電話等で知らされても、目視で当該アダプタを探さなければならない。これは作業効率が悪いだけでなく、ミスの恐れもある。更にまた、この従来のシステムでは、配線変更の対象となるアダプタとプラグを現場の作業者が直接的に知ることができないという問題もある。
【００１１】
そして、特開２００４−１６５０８９号公報（特許文献４）には、多数の光コネクタアダプタが配置された配線盤の選択された光コネクタアダプタにパッチコードの光コネクタを挿着し、または前記光アダプタから光コネクタを抜去して行う配線盤の配線作業を支援する配線装置が開示されている。この配線装置は、各光コネクタアダプタに隣接して配置されたＬＥＤを備えている。これらの表示部は、制御盤毎に設けられている制御部を介してパソコンに接続されている。前記パソコンには、上記光コネクタアダプタの配置データが予め記憶されており、前記制御部を介して前記表示部の点灯制御を行う。従って、作業者は、前記ＬＥＤの点灯によって、パッチコードの光コネクタを挿着すべき光コネクタアダプタを直接的に知ることができる。
【００１２】
この配線装置には、各光コネクタアダプタに隣接してアンテナが設けられている。また、パッチコードの光コネクタに非接触ＩＣタグが取り付けられており、前記非接触ＩＣタグにはコネクタＩＤが記憶されている。光コネクタアダプタにパッチコードのコネクタが挿着されると、前記アンテナを介してパソコンによってコネクタＩＤが読み取られる。従って、パソコンにより、配線盤の光コネクタアダプタへの光コネクタの配線情報を自動的に収集することができる。また、パソコンは、光コネクタアダプタに光コネクタが挿着されたことを検出すると、前記制御部を介して、コネクタ挿着を作業者に指示するために点灯しているＬＥＤを消灯させる。
【００１３】
この配線装置は、配線作業を効率化し、配線情報を自動的に収集するものであるが、パッチコードの光コネクタに非接触ＩＣタグの構造と配置、非接触ＩＣタグのコネクタＩＤを読み出すためのアンテナの構造と配置、ＬＥＤを含む表示部の構造と配置、更にはパソコンとアンテナ並びにＬＥＤとの接続に新たな製造コストを生じるので、コストが高いという問題がある。しかも、この配線装置は、配線盤或いは配線架を製造する際に組み込まなければならないので、汎用性が低いという問題もある。要するに、この従来の配線管理システムは配線盤に複数の行と列に整然と配置された多数のアダプタに配線ケーブルのコネクタを選択的に挿抜する配線作業を支援する配線管理システムであるが、システムの構成要素を高密度配線盤に容易に後付することが不可能であり、導入コストが高いという問題がある。
【特許文献１】特開２００３−１１４２４７号公報
【特許文献２】特開２００１−５７６８３号公報
【特許文献３】米国特許第５８２１５１０号公報
【特許文献４】特開２００４−１６５０８９号公報
【発明の開示】
【発明が解決しようとする課題】
【００１４】
本発明が解決しようとする第１の課題は、複数の行と列に整然と高密度に配置された多数のアダプタを備える高密度配線盤に配線ケーブルのコネクタを選択的に挿抜する配線作業を支援する配線管理システムにおいて、システムの構成要素を高密度配線盤に容易に後付が可能な安価な配線管理システムを提供することである。
本発明が解決しようとする第２の課題は、複数の行と列に整然と高密度に配置された多数のアダプタを備える高密度配線盤に適用された配線管理システムにおいて、現場作業者の作業効率を高めることである。
【課題を解決するための手段】
【００１５】
第１の解決手段は、配線盤に複数の行と列に整然と高密度に配置された多数のアダプタを備える高密度配線盤に配線ケーブルのコネクタを選択的に挿抜する配線作業を支援する配線管理システムにおいて、配線ケーブルのコネクタのＩＤとアダプタのアダプタ番号が対応付けられて記憶されたデータベース装置を備えた配線管理装置と、コネクタに取り付けられた当該コネクタのＩＤを記憶した非接触ＩＣタグと、前記配線盤に配置された所定個数のタグリーダと前記コネクタを挿抜すべき列選択手段と行選択手段と、前記タグリーダと前記列選択手段と前記行選択手段を前記配線管理装置に接続する手段とから構成されたものである。
【００１６】
第２の解決手段は、上述の第１の解決手段である配線管理システムにおいて、前記配線管理装置に接続された行アダプタ・ナビゲーション用表示手段と列アダプタ・ナビゲーション用表示手段が配線盤に更に配置したものである。
【発明の効果】
【００１７】
本発明により、配線盤に複数の行と列に整然と高密度に配置された多数のアダプタを備える高密度配線盤に配線ケーブルのコネクタを選択的に挿抜する配線作業を支援する配線管理システムにおいて、システムの構成要素を高密度配線盤に容易に後付が可能な安価な配線管理システムを提供することができた。従って、アダプタ毎にタグリーダ／ライタのアンテナを配置するスペースのない高密度配線盤に最適の配線管理システムを提供することができた。また、本発明に係る配線管理システムにおいては、現場の配線作業の際に作業者はタグリーダ／ライタを手に持つ必要がないので、作業効率を高めることができた。更に、配線ケーブルに取付けられたタグはアダプタ位置の書き込みが可能な非接触ＩＣタグであるので、従来よりも配線管理の作業性が向上した。前記非接触ＩＣタグに記憶されているアダプタ位置情報を、データベース装置に問い合わせなくても、作業者は配線盤に配置されているタグリーダ／ライタと表示器によって認識できるからである。
【発明を実施するための最良の形態】
【００１８】
本発明に係る配線管理システムは、配線盤に複数の行と列に整然と高密度に配置された多数のアダプタを備える高密度配線盤に配線ケーブルのコネクタを選択的に挿抜する配線作業を支援する配線管理システムにおいて、配線ケーブルのコネクタのＩＤとアダプタのアダプタ番号が対応付けられて記憶されたデータベースを備えた配線管理装置と、コネクタに取り付けられた当該コネクタのＩＤを記憶した非接触ＩＣタグと、前記配線盤に配置され前記配線管理装置に接続された所定個数のタグリーダ／ライタと、前記配線盤に行毎に配置され前記配線管理装置に接続された行選択スイッチと、及び、前記配線盤に列毎に配置され前記配線管理装置に接続された列選択スイッチとから構成された配線管理システムである。
【実施例１】
【００１９】
本発明の実施例１の配線支援システムは、図１の模式的構成図で示す配線盤が多数収容された配線架に適用されるもので、図３のブロック回路図に示す如き配線管理装置を有する。そして、配線ケーブル１５は、図５の斜視図に示す如く、非接触ＩＣタグ１１がコネクタ１０に取付けられた光ケーブルである。
【００２０】
配線盤１は、図１に示す如く、その中央部に８行１０列に整然と配置されている多数のアダプタ２を備えるものである。また、配線盤１の左側には８個の行選択スイッチ３と８個の行ＬＥＤ５が、アダプタ２の行に対応して夫々配置されている。また、配線盤１の上側には１０個の列選択スイッチ４と１０個の列ＬＥＤ６が、アダプタ２の列に対応して夫々配置されている。更に、配線盤１の下側には５個のタグリーダ／ライタのアンテナ７が配置されている。
【００２１】
即ち、配線盤１は、８行と１０列に整然と配置された多数のアダプタ２が配置された高密度配線盤である。配線盤１には、コントローラ１９に接続された行アダプタ選択スイッチ３、列アダプタ選択スイッチ４、タグリーダ／ライタのアンテナ７が後付で取付けられている。配線ケーブル１５のコネクタ１０には、非接触ＩＣタグ１１が取付けられている。コントローラ１９は配線管理装置の主要部を構成する。コントローラ１９に接続されたデータベース装置２０には、配線ケーブル１５のコネクタのコネクタＩＤと配線盤１のアダプタ番号が対応付けられた配線情報が記憶されている。前記タグリーダ／ライタは、アンテナ７とコントローラ１９の制御部を含んで構成されている。
【００２２】
上記の配線管理装置のコントローラ１９は、図３のブロック回路図に示す如く、配線管理に関するデータが格納されたデータベース部２０とメモリを内蔵した制御部２１とを備える。制御部２１には、表示部２２、電子音や音声などのアラームを発生する警報部２３、データベース部２０等の上部システムのインタフェース２４、コネクタの挿入と抜去を選択する挿抜選択スイッチ２５、及びＩＣタグ用変復調部２６が接続されている。また、配線管理装置の制御部２１には、タグリーダ／ライタのアンテナ部２７、行選択スイッチ部２８、列選択スイッチ部２９、行ＬＥＤ表示部３０、及び列ＬＥＤ表示部３１も接続されている。
【００２３】
タグリーダ／ライタのアンテナ部２７は、配線盤１に配置されている５個のアンテナ７と、図示しないパラレル接続のタグリーダ／ライタ用Ｉ／Ｏ部を含む。行選択スイッチ部２８は、配線盤１に配置されている８個の行選択スイッチ３と、図示しないパラレル接続のスイッチ用Ｉ／Ｏ部を含む。行選択スイッチ部２９は、配線盤１に配置されている１０個の列選択スイッチ４と、図示しないパラレル接続のスイッチ用Ｉ／Ｏ部を含む。行ＬＥＤ表示部３０は、配線盤１に配置されている８個の行ＬＥＤ５を含む。更に列ＬＥＤ表示部３１は、配線盤１に配置されている１０個の列ＬＥＤ６を含む。
【００２４】
タグリーダ／ライタは、制御部２１とアンテナ部７とＩＣタグ用変復調部２６とで構成されている。
【００２５】
非接触ＩＣタグ１１は、図５（Ａ）と（Ｃ）に示す如く、タグホルダ１２に接着剤などで固着されている。タグホルダ１２は、図５（Ａ）に示す如く、軸方向に半分に分割可能な円錐状筒部材である。非接触ＩＣタグ１１が固着されたタグホルダ１２は、図５（Ｂ）に示す如く、コネクタのブーツ部１４に圧入してコネクタに固定されているが、図５（Ｃ）に示す如く、コネクタのブーツ部１４から取り外すことができるようになっている。
【００２６】
上述の如く構成された実施例１の配線管理システムを利用して行うコネクタのフリー挿入又はフリー抜去の作業において、作業者はコネクタの挿抜を行うべき配線盤１に高密度に配置されているアダプタ２のアダプタ位置を、行アダプタ選択スイッチ３と列アダプタ選択スイッチ４を操作して指定する。作業者は、配線ケーブル１５のコネクタ１０に取付けられている非接触ＩＣタグ１１をタグリーダ／ライタのアンテナ７にかざして、コネクタＩＤを読み取らせる。配線管理装置の主要部を構成するコントローラ１９は、行アダプタ選択スイッチ３と列アダプタ選択スイッチ４の位置を検索してアダプタ位置を特定し、更にタグリーダ／ライタが読み取ったコネクタＩＤから配線ケーブルのコネクタを特定する。そして、コントローラ１９は、配線ケーブル１５のコネクタのコネクタＩＤと配線盤１のアダプタ番号が対応付けられた配線情報が記憶されているデータベース装置２０のデータを利用して、作業者のコネクタの挿抜作業を支援する。以下、図６から図９のフローチャートを参照して、実施例１の配線管理システムによる配線作業を詳細に説明する。
【００２７】
（フリー挿入作業）
配線管理装置からのナビゲーションによらないで、作業者が多数のアダプタの中の選択されたアダプタに配線ケーブルのコネクタを挿入する作業、即ちフリー挿入作業は、図６のフローチャートに示す流れに従って行われる。
【００２８】
作業者は、作業指示書に従って、特定の配線ケーブルのコネクタが挿入されるアダプタを行アダプタ選択スイッチ３と列アダプタ選択スイッチ４を夫々操作して指定する（１０１）。すると、制御部２１は、操作された行アダプタ選択スイッチ３に対応する行ＬＥＤ５と、操作された列アダプタ選択スイッチ４に対応する列ＬＥＤ６を点灯させる（１０２）。ステップ１０２に続いて、制御部２１はメモリに作業者が選択したアダプタ位置を記憶する（１０３）。ステップ１０２における行ＬＥＤ５と列ＬＥＤ６の点灯を目視して、作業者は作業指示書に従って正しいアダプタ位置を選択したことを確認できる。
【００２９】
特定の配線ケーブルのコネクタを挿入すべきアダプタ位置を確認した作業者は、続いて、特定の配線ケーブル１０のコネクタに取り付けられているコネクタＩＣタグ１１をタグリーダ／ライタのアンテナ７にかざす（１０４）。すると、前記タグリーダ／ライタはコネクタＩＤを読み取り（１０５）、制御部２１は読み取ったコネクタＩＤをメモリに記憶し（１０６）、表示部２２に前記コネクタＩＤを表示させる（１０７）。  ステップ１０７に続いて、制御部２１は前記タグリーダ／ライタのアンテナ７を介して前記コネクタＩＣタグ１１に、ステップ１０３でメモリに記憶したアダプタ位置を書き込む（１０８）。
【００３０】
ステップ１０７におけるコネクタＩＤの表示を目視して、作業者は配線ケーブルのコネクタとアダプタ位置の対応関係が作業指示書のとおりであることを確認できる。この確認を行った作業者は、特定の配線ケーブル１０のコネクタを選択されたアダプタ２に挿入する（１０９）。続いて、作業者は、ステップ１０１で操作した行アダプタ選択スイッチ３と列アダプタ選択スイッチ４を再度操作する（１１０）。すると、制御部２１は、行アダプタ選択スイッチ３に対応する行ＬＥＤ５と、操作された列アダプタ選択スイッチ４に対応する列ＬＥＤ６を消灯させる（１１１）。最後に、制御部２１はそのメモリに記憶されたアダプタ位置とコネクタＩＤを対応付けた配線情報をデータベース装置２０に送信し、データベース装置２０のデータを更新する（１１２）。
【００３１】
（フリー抜去作業）
配線管理装置からのナビゲーションによらないで、作業者が多数のアダプタの中の選択されたアダプタから配線ケーブルのコネクタを抜去する作業、即ちフリー抜去作業は、図７のフローチャートに示す流れに従って行われる。
【００３２】
作業者は、作業指示書に従って、配線ケーブルのコネクタが抜去されるアダプタを行アダプタ選択スイッチ３と列アダプタ選択スイッチ４を夫々操作して指定する（２０１）。すると、制御部２１は、操作された行アダプタ選択スイッチ３に対応する行ＬＥＤ５と、操作された列アダプタ選択スイッチ４に対応する列ＬＥＤ６を点灯させる（２０２）。ステップ２０２に続いて、制御部２１はメモリに作業者が選択したアダプタ位置を記憶する（２０３）。ステップ２０２における行ＬＥＤ５と列ＬＥＤ６の点灯を目視して、作業者は作業指示書に従って正しいアダプタ位置を選択したことを確認できる。
【００３３】
配線ケーブルのコネクタを抜去すべきアダプタ位置を確認した作業者は、続いて、当該アダプタ位置のアダプタ２に挿入されている配線ケーブル１０のコネクタからコネクタＩＣタグ１１を引き出し（２０４）、前記コネクタＩＣタグ１１をタグリーダ／ライタのアンテナ７にかざす（２０５）。すると、前記タグリーダ／ライタはコネクタＩＤとアダプタ位置を読み取る（２０６）。続いて、制御部２１は、前記コネクタＩＤとアダプタ位置を表示部２２に表示させ（２０７）、ステップ２０３で記憶したアダプタ位置とステップ２０６で読み取ったアダプタ位置が一致しているか否かを判定する（２０８）。  
【００３４】
もしも、ステップ２０８における判定結果がＮＯならば、制御部２１は警報部２３により間違った配線ケーブルのコネクタを抜去しようとする旨の警告を作業者に与える（２０９）。そこで、作業者はステップ２０４で引き出したコネクタＩＣタグ１１を元に戻し（２１０）、ステップ２０４に戻る。
【００３５】
ステップ２０８における判定結果がＹＥＳならば、制御部２１は前記タグリーダ／ライタのアンテナ７を介して前記コネクタＩＣタグ１１に記憶されているアダプタ位置情報を消去させる（２１１）。
【００３６】
ステップ２０７におけるコネクタＩＤとアダプタ位置の表示を目視して、作業者は配線ケーブルのコネクタとアダプタ位置の対応関係が作業指示書のとおりであることを確認できる。この確認を行った作業者は、特定の配線ケーブル１０のコネクタを選択されたアダプタ２から抜去する（２１２）。続いて、作業者は、ステップ２０１で操作した行アダプタ選択スイッチ３と列アダプタ選択スイッチ４を再度操作する（２１３）。すると、制御部２１は、行アダプタ選択スイッチ３に対応する行ＬＥＤ５と、操作された列アダプタ選択スイッチ４に対応する列ＬＥＤ６を消灯させる（２１４）。最後に、制御部２１はそのメモリに記憶されたアダプタ位置とコネクタＩＤを対応付けた配線情報をデータベース装置２０に送信し、データベース装置２０のデータを更新する（２１５）。
【００３７】
（ナビゲーション挿入作業）
配線管理装置からのナビゲーションより作業者が多数のアダプタの中の選択されたアダプタに配線ケーブルのコネクタを挿入する作業、即ちナビゲーション挿入作業は、図８のフローチャートに示す流れに従って行われる。
【００３８】
作業者は、作業指示書に従って、特定の配線ケーブルのコネクタのコネクタＩＣタグ１１をタグリーダ／ライタのアンテナ７にかざす（３０１）。すると、制御部２１は、前記タグリーダ／ライタが読み取ったコネクタＩＤのコネクタの挿入位置情報、即ちアダプタ位置情報をデータベース装置２０に問い合わせて取得する（３０２）。そして、取得したアダプタ位置情報を前記タグリーダ／ライタを介してコネクタＩＣタグ１１に書き込む（３０３）。続いて、制御部２１は、ステップ３０２で取得したアダプタ位置情報に基づいて、行ＬＥＤ５と列ＬＥＤ６を点滅させ、同時に表示部２２にコネクタの挿入位置をアダプタ番号で表示する（３０４）。
【００３９】
ステップ３０４における行ＬＥＤ５と列ＬＥＤ６の点滅、及び表示部２２の表示を目視して、作業者は配線盤上のアダプタ位置を確認できる。この確認を行った作業者は、特定の配線ケーブル１０のコネクタを選択されたアダプタ２に挿入する（３０５）。続いて、作業者は、ステップ３０１で操作した行アダプタ選択スイッチ３と列アダプタ選択スイッチ４を再度操作する（３０６）。すると、制御部２１は、行アダプタ選択スイッチ３に対応する行ＬＥＤ５と、操作された列アダプタ選択スイッチ４に対応する列ＬＥＤ６を消灯させる（３０７）。最後に、制御部２１はそのメモリに記憶されたアダプタ位置とコネクタＩＤを対応付けた配線情報をデータベース装置２０に送信し、データベース装置２０のデータを更新する（３０８）。
【００４０】
（ナビゲーション抜去作業）
配線管理装置からのナビゲーションにより作業者が多数のアダプタの中の選択されたアダプタから配線ケーブルのコネクタを抜去する作業、即ちナビゲーション抜去作業は、図９のフローチャートに示す流れに従って行われる。
【００４１】
ナビゲーション抜去作業が開始されると、制御部２１は行ＬＥＤ５と列ＬＥＤ６を点滅させて、配線ケーブルを撤去すべきアダプタ位置を作業者に知らせる（４０１）。作業者は行ＬＥＤ５と列ＬＥＤ６を点滅により指定されたアダプタに挿入されているコネクタからコネクタＩＣタグ１１を引き出し（４０２）、前記コネクタＩＣタグ１１をタグリーダ／ライタのアンテナ７にかざす（４０３）。すると、前記タグリーダ／ライタはコネクタＩＤとアダプタ位置を読み取る（４０４）。続いて、制御部２１は、ステップ４０１で抜去場所を指定したアダプタ位置とステップ４０４で読み取ったアダプタ位置が一致しているか否かを判定する（４０５）。  
【００４２】
ステップ４０５における判定結果がＮＯならば、制御部２１は警報部２３により間違った配線ケーブルのコネクタを抜去しようとする旨の警告を作業者に与える（４０６）。そこで、作業者はステップ４０２で引き出したコネクタＩＣタグ１１を元に戻し（４０７）、ステップ４０２に戻る。
【００４３】
ステップ４０５における判定結果がＹＥＳならば、制御部２１は前記タグリーダ／ライタのアンテナ７を介して前記コネクタＩＣタグ１１に記憶されているアダプタ位置情報を消去させる（４０８）。
【００４４】
そこで、作業者はコネクタを指定されたアダプタ２から抜去し（４０９）、点滅している行ＬＥＤ５と列ＬＥＤ６に夫々対応する行アダプタ選択スイッチ３と列アダプタ選択スイッチ４を操作する（４１０）。すると、制御部２１は、点滅していた行ＬＥＤ５と列ＬＥＤ６を消灯させる（４１１）。最後に、制御部２１はそのメモリに記憶されたアダプタ位置とコネクタＩＤを対応付けた配線情報をデータベース装置２０に送信し、データベース装置２０のデータを更新する（４１２）。
【００４５】
以上詳細に説明した如く、実施例１の配線管理システムは、配線盤１に複数の行と列に整然と配置された多数のアダプタ２に配線ケーブル１５のコネクタ１０を選択的に挿抜する配線作業を支援する配線管理システムにおいて、配線ケーブル１５のコネクタ１０のＩＤとアダプタ２のアダプタ番号が対応付けられて記憶されたデータベース２０を備えた配線管理装置と、コネクタ１０に取り付けられた非接触ＩＣタグであって当該コネクタ１０のＩＤを記憶した非接触ＩＣタグ１１と、前記配線管理装置に接続され且つ配線盤１に配置された行アダプタ選択スイッチ３と列アダプタ選択スイッチ４と、前記配線管理装置に接続されて非接触ＩＣタグ１１と情報の授受を行うタグリーダ／ライタのアンテナ７とから構成された配線管理システムである。なお、前記アダプタ番号は、アダプタ２の行位置と列位置で特定されるものである。また、前記タグリーダ／ライタは、前記配線管理装置の制御部２１と前記アンテナを含んで構成されている。そして、前記配線管理装置に接続された行アダプタ・ナビゲーション用ＬＥＤ５が行毎に、且つ列アダプタ・ナビゲーション用ＬＥＤ６が列毎に、配線盤１に配置されている。
【実施例２】
【００４６】
本発明の実施例２の配線支援システムは、図２の模式的構成図で示す配線盤が多数収容された配線架に適用されるもので、図４のブロック回路図に示す如き配線管理装置を有する。そして、配線ケーブル１５は、図５の斜視図に示す如く、非接触ＩＣタグ１１がコネクタ１０に取付けられた光ケーブルである。
【００４７】
配線盤１は、図２に示す如く、その中央部に８行１０列に整然と配置されている多数のアダプタ２を備えるものである。また、配線盤１の左側には８個の行選択用のタグリーダ／ライタのアンテナ８と８個の行ＬＥＤ５がアダプタ２の行に対応して夫々配置されている。また、配線盤１の上側には１０個の列選択用のタグリーダ／ライタのアンテナ９と１０個の列ＬＥＤ６が、アダプタ２の列に対応して夫々配置されている。
【００４８】
配線管理装置は、図４のブロック回路図に示す如く、配線管理に関するデータが格納されたデータベース部２０とメモリを内蔵した制御部２１とを備える。制御部２１には、表示部２２、電子音や音声などのアラームを発生する警報部２３、データベース部２０等の上部システムのインタフェース２４、コネクタの挿入と抜去を選択する挿抜選択スイッチ２５、及びＩＣタグ用変復調部２６が接続されている。また、配線管理装置の制御部２１には、行選択用のタグリーダ／ライタのアンテナ部３２、列選択用のタグリーダ／ライタのアンテナ部３３、行ＬＥＤ表示部３０、及び列ＬＥＤ表示部３１も接続されている。
【００４９】
タグリーダ／ライタは、制御部２１、アンテナ部３２並びにアンテナ部３３、及びＩＣタグ用変復調部２６とで構成されている。
【００５０】
行選択用のタグリーダ／ライタのアンテナ部３２は、配線盤１に配置されている８個のアンテナ８と、図示しないパラレル接続のスイッチ用Ｉ／Ｏ部を含む。列選択用のタグリーダ／ライタのアンテナ部３３は、配線盤１に配置されている１０個のアンテナ９と、図示しないパラレル接続のスイッチ用Ｉ／Ｏ部を含む。行ＬＥＤ表示部３０は、配線盤１に配置されている８個の行ＬＥＤ５を含む。更に列ＬＥＤ表示部３１は、配線盤１に配置されている１０個の列ＬＥＤ６を含む。
【００５１】
上述の如く構成された実施例２の配線管理システムにおいて、作業者の配線ケーブルの挿入と抜去の作業は、以下に詳細に説明する如く、図１０と図１１のフローチャートに示す流れに従って行われる。
【００５２】
（フリー挿入作業）
配線管理装置からのナビゲーションによらないで、作業者が多数のアダプタの中の選択されたアダプタに配線ケーブルのコネクタを挿入する作業、即ちフリー挿入作業は、図１０のフローチャートに示す流れに従って行われる。
【００５３】
作業者は、作業指示書に従って、配線ケーブルのコネクタのコネクタＩＣタグ１１を行選択用のタグリーダ／ライタのアンテナ部８の中の選択された行のアンテナ部８にかざす（５０１）。タグリーダ／ライタは該コネクタのコネクタＩＤを読み取り、メモリに記憶する（５０２）。続いて、制御部２１は行アンテナ位置を検索して読み取り、メモリに記憶する（５０３）。そして、制御部２１は、対応する行ＬＥＤ５を点灯させる（５０４）。
【００５４】
続いて作業者は、作業指示書に従って、配線ケーブルのコネクタのコネクタＩＣタグ１１を列選択用のタグリーダ／ライタのアンテナ部９の中の選択された列アンテナ部９にかざす（５０５）。続いて、制御部２１は列アンテナ位置を検索して読み取り、メモリに記憶する（５０６）。そして、制御部２１は、対応する列ＬＥＤ６を点灯させる（５０７）。
【００５５】
続いて、制御部２１は、そのメモリに記憶されている行アンテナ位置と列アンテナ位置から特定したアダプタ位置を、列アンテナ９を介してコネクタＩＣタグ１１に書き込み（５０８）、前記アダプタ位置とコネクタＩＣタグ１１のコネクタＩＤを対応付けた配線情報をデータベース装置２０に送信し、データベース装置２０のデータを更新する（５０９）。そして制御部２１は、警報部２３や表示部２２を駆動して作業者にコネクタ挿入を催告する（５１０）。作業者は、上記催告に従ってコネクタを選択したアダプタに挿入し（５１１）、挿抜選択スイッチ２５を操作して挿入確認を行う（５１２）。すると制御部２１は、行ＬＥＤ５と列ＬＥＤ６を消灯させ（５１３）、フリー挿入作業を終了させる。
【００５６】
（フリー抜去作業）
配線管理装置からのナビゲーションによらないで、作業者が多数のアダプタの中の選択されたアダプタから配線ケーブルのコネクタを抜去する作業、即ちフリー抜去作業は、図１１のフローチャートに示す流れに従って行われる。
【００５７】
作業者は、作業指示書に従って、配線ケーブルのコネクタを選択されたアダプタ２から抜去し（６０１）、該コネクタのコネクタＩＣタグ１１を行選択用のタグリーダ／ライタのアンテナ部８の中の選択された行のアンテナ部８にかざす（６０２）。タグリーダ／ライタは該コネクタのコネクタＩＤとアダプタ位置情報を読み取り（６０３）、メモリに記憶する（６０４）。続いて、制御部２１は行アンテナ位置を検索して読み取り、メモリに記憶する（６０５）。そして、制御部２１は、対応する行ＬＥＤ５を点灯させる（６０６）。
【００５８】
続いて作業者は、作業指示書に従って、配線ケーブルのコネクタのコネクタＩＣタグ１１を列選択用のタグリーダ／ライタのアンテナ部９の中の選択された行アンテナ部９にかざす（６０７）。すると、制御部２１は列アンテナ位置を検索して読み取り、メモリに記憶する（６０８）。そして、制御部２１は、対応する列ＬＥＤ６を点灯させる（６０９）。
【００５９】
続いて、制御部２１は、そのメモリに記憶された行アンテナ位置と列アンテナ位置から特定したアダプタ位置と、コネクタＩＣタグ１１に記憶されているアダプタ位置とを比較して、抜去位置が正しいか否かを判定する（６１０）。
【００６０】
ステップ６１０における判定結果がＮＯならば、制御部２１は警報部２３によりコネクタが間違って抜去された旨の警告を作業者に与える（６１１）。そこで、作業者はステップ６０１で抜去したコネクタを元に戻し（６１２）、ステップ６０１に戻る。
【００６１】
ステップ６１０における判定結果がＹＥＳならば、制御部２１は列アンテナ９を介して前記コネクタＩＣタグ１１に記憶されているアダプタ位置情報を消去させ（６１３）、そして、行ＬＥＤ５と列ＬＥＤ６を消灯させる（６１４）。最後に、制御部２１はそのメモリに記憶されたアダプタ位置とコネクタＩＤを対応付けた配線情報をデータベース装置２０に送信し、データベース装置２０のデータを更新する（６１５）。
【００６２】
（ナビゲーション挿入作業）
配線管理装置からのナビゲーションより作業者が多数のアダプタの中の選択されたアダプタに配線ケーブルのコネクタを挿入する作業、即ちナビゲーション挿入作業は、実施例１の図８のフローチャートに示す流れに準じて行われる。
【００６３】
（ナビゲーション抜去作業）
配線管理装置からのナビゲーションにより作業者が多数のアダプタの中の選択されたアダプタから配線ケーブルのコネクタを抜去する作業、即ちナビゲーション抜去作業は、実施例１の図９のフローチャートに示す流れに準じて行われる。
【００６４】
以上詳細に説明した如く、実施例２の配線管理システムは、配線盤１に複数の行と列に整然と配置された多数のアダプタ２に配線ケーブル１５のコネクタ１０を選択的に挿抜する配線作業を支援する配線管理システムにおいて、配線ケーブル１５のコネクタ１０のＩＤとアダプタ２のアダプタ番号が対応付けられて記憶されたデータベース装置２０を備えた配線管理装置と、コネクタ１０に取り付けられた非接触ＩＣタグであって当該コネクタ１０のＩＤを記憶した非接触ＩＣタグ１１と、前記配線管理装置に接続され且つ配線盤１に配置された行タグリーダ／ライタのアンテナ８と、前記配線管理装置に接続され且つ前記配線盤に配置された列タグリーダ／ライタのアンテナ９とから構成された配線管理システムである。なお、前記アダプタ番号は、アダプタ２の行位置と列位置で特定されるものである。また、前記タグリーダ／ライタは、前記配線管理装置の制御部２１と前記アンテナを含んで構成されている。そして、前記配線管理装置に接続された行アダプタ・ナビゲーション用ＬＥＤ５が行毎に、且つ列アダプタ・ナビゲーション用ＬＥＤ６が列毎に、配線盤１に配置されている。
【実施例３】
【００６５】
実施例３の配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタのアダプタ番号が対応付けられて記憶されたデータベース装置を備えた配線管理装置と、コネクタに取り付けられた非接触ＩＣタグであって当該コネクタのＩＤを記憶した非接触ＩＣタグと、前記配線管理装置に接続され且つ前記配線盤に配置された行アダプタ選択スイッチと、前記配線管理装置に接続され且つ前記配線盤に配置された列タグリーダ／ライタのアンテナとから構成された配線管理システムである。
【００６６】
即ち、実施例３の配線管理システムは、実施例２の配線管理システムにおいて、行タグリーダ／ライタのアンテナ８の代わりに行選択スイッチを用いて構成したものである。前記行選択スイッチは、実施例１における行選択スイッチ３が用いられている。
【００６７】
（フリー挿入作業）
配線管理装置からのナビゲーションによらないで、作業者が多数のアダプタの中の選択されたアダプタに配線ケーブルのコネクタを挿入する作業、即ちフリー挿入作業は、実施例１の図６のフローチャートに示す流れに準じて行われる。
【００６８】
（フリー抜去作業）
配線管理装置からのナビゲーションによらないで、作業者が多数のアダプタの中の選択されたアダプタから配線ケーブルのコネクタを抜去する作業、即ちフリー抜去作業は、実施例１の図７のフローチャートに示す流れに準じて行われる。
【００６９】
（ナビゲーション挿入作業）
配線管理装置からのナビゲーションより作業者が多数のアダプタの中の選択されたアダプタに配線ケーブルのコネクタを挿入する作業、即ちナビゲーション挿入作業は、実施例１の図８のフローチャートに示す流れに準じて行われる。
【００７０】
（ナビゲーション抜去作業）
配線管理装置からのナビゲーションにより作業者が多数のアダプタの中の選択されたアダプタから配線ケーブルのコネクタを抜去する作業、即ちナビゲーション抜去作業は、実施例１の図９のフローチャートに示す流れに準じて行われる。
【実施例４】
【００７１】
実施例４の配線管理システムは、配線盤に複数の行と列に整然と配置された多数のアダプタに配線ケーブルのコネクタを選択的に挿抜する配線作業を支援する配線管理システムにおいて、配線ケーブルのコネクタのＩＤとアダプタのアダプタ番号が対応付けられて記憶されたデータベース装置を備えた配線管理装置と、コネクタに取り付けられた非接触ＩＣタグであって当該コネクタのＩＤを記憶した非接触ＩＣタグと、前記配線管理装置に接続され且つ前記配線盤に配置された列アダプタ選択スイッチと、前記配線管理装置に接続され且つ前記配線盤に配置された行タグリーダ／ライタのアンテナとから構成された配線管理システムである。
【００７２】
即ち、実施例４の配線管理システムは、実施例２の配線管理システムにおいて、列タグリーダ／ライタのアンテナ９の代わりに列選択スイッチを用いて構成したものである。前記列選択スイッチは、実施例１における列選択スイッチ４が用いられている。
【００７３】
（フリー挿入作業）
配線管理装置からのナビゲーションによらないで、作業者が多数のアダプタの中の選択されたアダプタに配線ケーブルのコネクタを挿入する作業、即ちフリー挿入作業は、実施例１の図６のフローチャートに示す流れに準じて行われる。
【００７４】
（フリー抜去作業）
配線管理装置からのナビゲーションによらないで、作業者が多数のアダプタの中の選択されたアダプタから配線ケーブルのコネクタを抜去する作業、即ちフリー抜去作業は、実施例１の図７のフローチャートに示す流れに準じて行われる。
【００７５】
（ナビゲーション挿入作業）
配線管理装置からのナビゲーションにより作業者が多数のアダプタの中の選択されたアダプタに配線ケーブルのコネクタを挿入する作業、即ちナビゲーション挿入作業は、実施例１の図８のフローチャートに示す流れに準じて行われる。
【００７６】
（ナビゲーション抜去作業）
配線管理装置からのナビゲーションにより作業者が多数のアダプタの中の選択されたアダプタから配線ケーブルのコネクタを抜去する作業、即ちナビゲーション抜去作業は、実施例１の図９のフローチャートに示す流れに準じて行われる。
【図面の簡単な説明】
【００７７】
【図１】本発明の実施例１の配線管理システムの模式的な構成図である。
【図２】本発明の実施例２の配線管理システムの模式的な構成図である。
【図３】本発明の実施例１の配線管理システムのブロック構成図である。
【図４】本発明の実施例２の配線管理システムのブロック構成図である。
【図５】コネクタにＩＣタグが取付けられた配線ケーブルの斜視図である。
【図６】本発明の実施例１の配線管理システムにおけるフリー挿入作業の流れの一例を示したフローチャートである。
【図７】本発明の実施例１の配線管理システムにおけるフリー抜去作業の流れの一例を示したフローチャートである。
【図８】本発明の実施例１の配線管理システムにおけるナビゲーション挿入作業の流れの一例を示したフローチャートである。
【図９】本発明の実施例１の配線管理システムにおけるナビゲーション抜去作業の流れの一例を示したフローチャートである。
【図１０】本発明の実施例２の配線管理システムにおけるフリー挿入作業の流れの一例を示したフローチャートである。
【図１１】本発明の実施例２の配線管理システムにおけるフリー抜去作業の流れの一例を示したフローチャートである。
【符号の説明】
【００７８】
１  配線盤
２  アダプタ
３  行アダプタ選択スイッチ
４  列アダプタ選択スイッチ
５  行アダプタ用ＬＥＤ
６  列アダプタ用ＬＥＤ
７  タグリーダ／ライタのアンテナ
８  行アダプタ・タグリーダ／ライタのアンテナ
９  列アダプタ・タグリーダ／ライタのアンテナ
１０  コネクタ付配線ケーブル
１１  コネクタＩＣタグ
１２  タグホルダ
１３  コネクタ
１４  コネクタのブーツ部
１５  ケーブル
１９  コントローラ
２０  データベース装置
２１  制御部
２２  表示部
２３  警報部
２４  上位ＩＦ
２５  挿抜選択スイッチ
２６  ＩＣタグ用変復調部
２７  タグリーダ／ライタのアンテナ部
２８  行アダプタ選択スイッチ部
２９  列アダプタ選択スイッチ部
３０  行アダプタ用ＬＥＤ部
３１  列アダプタ用ＬＥＤ部
３２  行タグリーダ／ライタのアンテナ部
３３  列タグリーダ／ライタのアンテナ部
【図１】
2007189774.tif 000003
【図２】
2007189774.tif 000004
【図３】
2007189774.tif 000005
【図４】
2007189774.tif 000006
【図５】
2007189774.tif 000007
【図６】
2007189774.tif 000008
【図７】
2007189774.tif 000009
【図８】
2007189774.tif 000010
【図９】
2007189774.tif 000011
【図１０】
2007189774.tif 000012
【図１１】
2007189774.tif 000013